(57)【特許請求の範囲】
【請求項１】
光源と、
アレイ状に配列された複数の微小ミラーの上記光源からの光に対する各傾斜角度を制御して反射光により光像を形成するミラー素子を駆動し、入力される画像信号に対応した光像を投影する投影手段と、
少なくとも上記光源及び投影手段に電力を供給して投影動作を実行させる主電源と、
電力を蓄えた予備電源と、
上記投影手段に供給される主電源からの電力の停止を判断する判断手段と、
上記ミラー素子の温度を検出する温度検出手段と、
上記判断手段での判断内容と上記温度検出手段での検出結果とに基づき、上記予備電源の電力を用いて上記ミラー素子を構成する全微小ミラーを所定の傾斜角度に駆動制御する制御手段と
を具備したことを特徴とする投影装置。
【請求項２】
上記制御手段は、上記判断手段が主電源からの電力が停止したと判断し、上記温度検出手段が上記ミラー素子の温度が所定の温度以上であると判断した場合、上記予備電源の電力を用いて上記ミラー素子を構成する全微小ミラーを所定の傾斜角度に駆動制御することを特徴とする請求項１記載の投影装置。
【請求項３】
上記制御手段は、上記判断手段が主電源からの電力が停止したと判断し、上記温度検出手段が上記ミラー素子の温度が所定の温度より低いと判断した場合、上記予備電源の電力を用いて上記ミラー素子を構成する全微小ミラーを所定の傾斜角度に駆動制御しないことを特徴とする請求項１または２記載の投影装置。
【請求項４】
上記光源及びミラー素子に送風して冷却する冷却ファンをさらに具備し、
上記制御手段は、所定の傾斜角度に駆動制御したミラー素子に対して上記予備電源の電力で上記冷却ファンにより送風して冷却する
ことを特徴とする請求項１乃至３いずれか記載の投影装置。
【請求項５】
上記制御手段は、上記予備電源の電力で上記冷却ファンにより上記光源と上記ミラー素子の双方を冷却させることを特徴とする請求項４記載の投影装置。
【請求項６】
上記予備電源は、上記主電源の供給する電力の一部を蓄えることを特徴とする請求項１乃至５いずれか記載の投影装置。
【請求項７】
上記所定の傾斜角度とは、上記ミラー素子を構成する全微小ミラーをアレイ配列方向に沿って平坦となる角度であることを特徴とする請求項１乃至６いずれか記載の投影装置。
【請求項８】
光源、アレイ状に配列された複数の微小ミラーの上記光源からの光に対する各傾斜角度を制御して反射光により光像を形成するミラー素子を駆動し、入力される画像信号に対応した光像を投影する投影部、少なくとも上記光源及び投影部に電力を供給して投影動作を実行させる主電源、及び電力を蓄えた予備電源を備えた投影装置での投影制御方法であって、
上記投影部に供給される主電源からの電力の停止を判断する判断工程と、
上記ミラー素子の温度を検出する温度検出工程と、
上記判断工程での判断内容と上記温度検出工程での検出結果とに基づき、上記予備電源の電力を用いて上記ミラー素子を構成する全微小ミラーを所定の傾斜角度に駆動制御する制御工程と
を有したことを特徴とする投影制御方法。
【請求項９】
光源、アレイ状に配列された複数の微小ミラーの、上記光源からの光に対する各傾斜角度を制御して反射光により光像を形成するミラー素子を駆動し、入力される画像信号に対応した光像を投影する投影部、少なくとも上記光源及び投影部に電力を供給して投影動作を実行させる主電源、及び、電力を蓄えた予備電源を備えた投影装置が内蔵するコンピュータが実行するプログラムであって、
上記投影部に供給される主電源からの電力の停止を判断する判断ステップと、
上記ミラー素子の温度を検出する温度検出ステップと、
上記判断ステップでの判断内容と上記温度検出ステップでの検出結果とに基づき、上記予備電源の電力を用いて上記ミラー素子を構成する全微小ミラーを所定の傾斜角度に駆動制御する制御ステップと
をコンピュータに実行させることを特徴とするプログラム。
【発明の詳細な説明】
【技術分野】
【０００１】
本発明は、マイクロミラー素子を表示素子として使用するプロジェクタ装置に好適な投影装置、投影制御撮像方法及びプログラムに関する。
【背景技術】
【０００２】
従来より、ＭＥＭＳ（Ｍｉｃｒｏ  Ｅｌｅｃｔｒｏ  Ｍｅｃｈａｎｉｃａｌ  Ｓｙｓｔｅｍｓ：微小電気機械システム，マイクロマシン）技術の１つであるマイクロミラー素子を表示素子に用いて光源からの反射光で光像を形成し、投影を行なうＤＬＰ（Ｄｉｇｉｔａｌ  Ｌｉｇｈｔ  Ｐｒｏｃｅｓｓｉｎｇ）（登録商標）方式のプロジェクタが多く製品化されている。
【０００３】
この種のプロジェクタは、透過型の液晶パネルを表示素子に用いるプロジェクタに比して、光源からの光を効率的に使用して光像を形成できるため、より明るい画像の投影が可能となる。
【０００４】
加えて、光源と表示素子間に高速回転するカラーホイールを介することで原色光を時分割で表示素子に照射し、各原色光に応じた光像を時分割で形成することにより、表示素子自体は単板でカラー画像を投影することができるため、高解像度の画像投影が可能となる。
【０００５】
上記ＤＬＰ（登録商標）方式のプロジェクタに関しては、上述した如く比較的解像度の高い投影が可能であることから、画質が低下しがちな自動台形補正機能を有したものも多く、それらの機能に関する技術が多く提案されている。（例えば、特許文献１）
【特許文献１】特開２００５−０７０４１５号公報
【発明の開示】
【発明が解決しようとする課題】
【０００６】
プロジェクタで、不用意なＡＣ電源ケーブルの引き抜き等に起因する瞬時停電が生じた場合、内部を冷却するための冷却ファンも同時に停止する。そのため、プロジェクタ内部は熱源である光源ランプで発生した高熱がこもることになり、熱ストレスに弱い各種デバイス、例えば光源ランプ自身が劣化等のダメージを受けることもあり得る。
【０００７】
このような事態を回避するべく、充電可能な予備バッテリを予め用意し、停電時や投影動作終了後のアフタークーリング時にＡＣ電源に代わって電力を供給し、冷却ファンを駆動する技術が実用化されている。
【０００８】
しかるに、上記表示素子としてのマイクロミラー素子もまた、熱ストレスによる悪影響を受けるデバイスの１つである。具体的には、何らかの画像を投影した状態で表示素子系統が停電した場合、マイクロミラーデバイスで個々の画素を構成する微小ミラーが、入射光を投影レンズ方向に反射させる傾斜方向となるオン位置、または投影レンズ外の光吸収体に反射させる傾斜方向となるオフ位置のいずれかで固定された状態で熱ストレスにさらされることになる。
【０００９】
そのため、熱ストレスの影響下でそのときオン位置にある画素の微小ミラーとオフ位置にある微小ミラーとで異なる熱ストレスに対する劣化、例えば傾斜角度の変異や応答速度の低下等を生じることとなる。結果として、マイクロミラー素子が表示する画像は全体が不規則なパターンで劣化を生じ、以後の正常な画像表示に際しても画質が著しく低下するという不具合がある。
【００１０】
これに対応するべく、上記光源ランプの冷却と同様に、予備バッテリからの供給電力によりマイクロミラー素子に送風する冷却ファンを駆動することも考えられるが、光源ランプの冷却と合わせて、予備バッテリに必要とされる蓄電量が増大し、予備バッテリをより大容量のものとしなくてはならず、プロジェクタの装置全体の小型軽量化、構成の簡素化を阻害することになる。
【００１１】
本発明は上記のような実情に鑑みてなされたもので、その目的とするところは、瞬時停電時等のミラー素子の熱ストレスによる悪影響を抑制し、素子の劣化に伴う投影画質の低下を回避することが可能な投影装置、投影制御方法及びプログラムを提供することにある。
【課題を解決するための手段】
【００１２】
請求項１記載の発明は、投影装置であって、光源と、アレイ状に配列された複数の微小ミラーの上記光源からの光に対する各傾斜角度を制御して反射光により光像を形成するミラー素子を駆動し、入力される画像信号に対応した光像を投影する投影手段と、少なくとも上記光源及び投影手段に電力を供給して投影動作を実行させる主電源と、電力を蓄えた予備電源と、上記投影手段に供給される主電源からの電力の停止を判断する判断手段と、上記ミラー素子の温度を検出する温度検出手段と、上記判断手段での判断内容と上記温度検出手段での検出結果とに基づき、上記予備電源の電力を用いて上記ミラー素子を構成する全微小ミラーを所定の傾斜角度に駆動制御する制御手段とを具備したことを特徴とする。
【００１３】
請求項２記載の発明は、上記請求項１記載の発明において、上記制御手段は、上記判断手段が主電源からの電力が停止したと判断し、上記温度検出手段が上記ミラー素子の温度が所定の温度以上であると判断した場合、上記予備電源の電力を用いて上記ミラー素子を構成する全微小ミラーを所定の傾斜角度に駆動制御することを特徴とする。
請求項３記載の発明は、上記請求項１または２記載の発明において、上記制御手段は、上記判断手段が主電源からの電力が停止したと判断し、上記温度検出手段が上記ミラー素子の温度が所定の温度より低いと判断した場合、上記予備電源の電力を用いて上記ミラー素子を構成する全微小ミラーを所定の傾斜角度に駆動制御しないことを特徴とする。
【００１４】
請求項４記載の発明は、上記請求項１乃至３いずれか記載の発明において、上記光源及びミラー素子に送風して冷却する冷却ファンをさらに具備し、上記制御手段は、所定の傾斜角度に駆動制御したミラー素子に対して上記予備電源の電力で上記冷却ファンにより送風して冷却することを特徴とする。
請求項５記載の発明は、上記請求項４記載の発明において、上記制御手段は、上記予備電源の電力で上記冷却ファンにより上記光源と上記ミラー素子の双方を冷却させることを特徴とする。
【００１５】
請求項６記載の発明は、上記請求項１乃至５いずれか記載の発明において、上記予備電源は、上記主電源の供給する電力の一部を蓄えることを特徴とする。
【００１６】
請求項７記載の発明は、上記請求項１乃至６いずれか記載の発明において、上記所定の傾斜角度とは、上記ミラー素子を構成する全微小ミラーをアレイ配列方向に沿って平坦となる角度であることを特徴とする。
【００１７】
請求項８記載の発明は、光源、アレイ状に配列された複数の微小ミラーの上記光源からの光に対する各傾斜角度を制御して反射光により光像を形成するミラー素子を駆動し、入力される画像信号に対応した光像を投影する投影部、少なくとも上記光源及び投影部に電力を供給して投影動作を実行させる主電源、及び電力を蓄えた予備電源を備えた投影装置での投影制御方法であって、上記投影部に供給される主電源からの電力の停止を判断する判断工程と、上記ミラー素子の温度を検出する温度検出工程と、上記判断工程での判断内容と上記温度検出工程での検出結果とに基づき、上記予備電源の電力を用いて上記ミラー素子を構成する全微小ミラーを所定の傾斜角度に駆動制御する制御工程とを有したことを特徴とする。
【００１８】
請求項９記載の発明は、光源、アレイ状に配列された複数の微小ミラーの、上記光源からの光に対する各傾斜角度を制御して反射光により光像を形成するミラー素子を駆動し、入力される画像信号に対応した光像を投影する投影部、少なくとも上記光源及び投影部に電力を供給して投影動作を実行させる主電源、及び、電力を蓄えた予備電源を備えた投影装置が内蔵するコンピュータが実行するプログラムであって、上記投影部に供給される主電源からの電力の停止を判断する判断ステップと、上記ミラー素子の温度を検出する温度検出ステップと、上記判断ステップでの判断内容と上記温度検出ステップでの検出結果とに基づき、上記予備電源の電力を用いて上記ミラー素子を構成する全微小ミラーを所定の傾斜角度に駆動制御する制御ステップとをコンピュータに実行させることを特徴とする。
【発明の効果】
【００１９】
本発明によれば、より少ない予備電力の消費で瞬時停電時等のミラー素子の熱ストレスによる悪影響を抑制し、素子の劣化に伴う投影画質の低下を回避することが可能となる。
【発明を実施するための最良の形態】
【００２０】
以下本発明をＤＬＰ（登録商標）方式のデータプロジェクタ装置に適用した場合の一実施形態について図面を参照して説明する。
【００２１】
図１は、同実施形態に係るデータプロジェクタ装置１０が備える電子回路の機能構成を示すブロック図である。  
同図で、１１は本体背面側に設けられる入出力コネクタ部１１であり、例えばピンジャック（ＲＣＡ）タイプのビデオ入力端子、Ｄ−ｓｕｂ１５のＲＧＢ入力端子、及びＵＳＢ端子からなる。
【００２２】
入出力コネクタ部１１より入力される各種規格の画像信号は、入出力インタフェース（Ｉ／Ｆ）１２、システムバスＳＢを介して、一般にスケーラとも称される画像変換部１３で解像度数、階調数等を含む所定のフォーマットの画像信号に統一された後に、投影画像処理部１４へ送られる。
【００２３】
この際、ＯＳＤ（Ｏｎ  Ｓｃｒｅｅｎ  Ｄｉｓｐｌａｙ）用の文字画像やポインタ等の記号も必要に応じて画像信号上に重畳加工された状態で投影画像処理部１４へ送られる。
【００２４】
投影画像処理部１４は、送られてきた画像信号をビデオＲＡＭ１５に展開して記憶させた上でこのビデオＲＡＭ１５の記憶内容からビデオ信号を生成する。
【００２５】
投影画像処理部１４は、このビデオ信号のフレームレート、例えば６０［フレーム／秒］と色成分の分割数、及び表示階調数を乗算した、より高速な時分割駆動により、空間的光変調素子（ＳＯＭ）であるマイクロミラー素子１６を表示駆動する。
【００２６】
なお、このマイクロミラー素子１６には温度センサ１７が設置され、温度センサ１７が検出した温度は投影画像処理部１４を介して後述する制御部３２へ送られる。
【００２７】
一方、リフレクタ１８内に配置された、例えば高圧水銀灯を用いた光源ランプ１９が高輝度の白色光を出射する。光源ランプ１９の出射した白色光は、カラーホイール２０を介して時分割で原色に着色され、インテグレータ２１で輝度分布が均一な光束とされた後にミラー２２で全反射して上記マイクロミラー素子１６に照射される。
【００２８】
しかして、マイクロミラー素子１６での反射光で光像が形成され、形成された光像が投影レンズユニット２３を介して、投影対象となるここでは図示しないスクリーンに投影表示される。
【００２９】
上記投影レンズユニット２３は、マイクロミラー素子１６で形成された光像を拡大してスクリーン等の対象に投影するものであり、合焦位置及びズーム位置（投影画角）を任意に可変できるものとする。
【００３０】
すなわち、投影レンズユニット２３を構成する複数の光学レンズ中、図示しないフォーカスレンズ及びズームレンズはそれぞれ光軸方向に沿って前後に移動することで制御されるもので、それらレンズはステッピングモータ（Ｍ）２４の回動駆動により移動する。
【００３１】
また、主として上記光源ランプ１９を冷却するための冷却ファン２５がモータ（Ｍ）２６により回転駆動される。さらに、主として上記マイクロミラー素子１６を冷却するための冷却ファン２７がモータ（Ｍ）２８により回転駆動される。加えて、上記カラーホイール２０を回転させるモータ（Ｍ）２９が設けられる。
【００３２】
そして、上記光源ランプ１９の点灯駆動、上記カラーホイール２０用のモータ２９の回転駆動、冷却ファン２５用のモータ２６の回転駆動、冷却ファン２７用のモータ２８の回転駆動、及び上記ステッピングモータ２４の回動駆動をいずれも投影光処理部３０が実行する。
【００３３】
加えてこの投影光処理部３０は、リフレクタ１８に取付けられて光源ランプ１９の温度を検出する温度センサ３１からの温度データを入力する。
【００３４】
上記各回路の動作すべてをＣＰＵ３２が制御する。このＣＰＵ３２は、ＳＤＲＡＭ（シンクロナスＤＲＡＭ）で構成されたメインメモリ３３、動作プログラムや各種定型データ等を記憶した電気的書換可能な不揮発性メモリでなるプログラムメモリ３４を用いてこのデータプロジェクタ装置１０内の制御動作を実行する。
【００３５】
上記ＣＰＵ３２は、操作部３５からの操作信号に応じて各種投影動作を実行する。この操作部３５は、データプロジェクタ装置１０の本体に設けられるキー操作部と、このデータプロジェクタ装置１０専用の図示しないリモートコントローラからの赤外光を受信するＩｒ受信部とを含み、ユーザが直接またはリモートコントローラを介して操作したキーに基づくキーコード信号をＣＰＵ３２へ直接出力する。
【００３６】
上記ＣＰＵ３２はさらに、上記システムバスＳＢを介してインジケータ部３６、音声処理部３７、及び電源コントローラ３８と接続される。
【００３７】
インジケータ部３６は、例えば複数個のＬＥＤで構成され、装置の動作状態、例えば電源のオン／オフ、上記光源ランプ１９の温度異常等を発光色と点灯／点滅のパターンによって表示する。
【００３８】
音声処理部３７は、ＰＣＭ音源等の音源回路を備え、投影動作時に与えられる音声データをアナログ化し、スピーカ部３９を駆動して拡声放音する一方で、必要によりビープ音等を発生させる。
【００３９】
電源コントローラ３８は、ＡＣ入力部４０及び予備バッテリ４１を接続する。ＡＣ入力部４０は、装置外部から与えられる交流電圧を所定の電圧、例えば６［Ｖ］の直流電圧に整流、変圧して電源コントローラ３８へ出力する。
【００４０】
電源コントローラ３８は、ＡＣ入力部４０からの直流電圧を上記各回路の動作に適した複数の直流電圧に変圧して供給する一方で、瞬時停電等の不慮の事態に備えて予備バッテリ４１を充電しておく。この予備バッテリ４１は、例えば大容量のコンデンサやリチウムイオン２次電池とそのドライバ回路とで構成される。
【００４１】
次に上記実施形態の動作について説明する。  
図２は、電源スイッチをオンした直後から通常の投影動作に移行し、電源スイッチをオフするまでの統合的な動作について示したものであり、その動作制御はすべてＣＰＵ３２がプログラムメモリ３４に記憶された動作プログラムを読出してメインメモリ３３に展開しながら実行する。
【００４２】
処理当初には、まず投影光処理部３０により冷却ファン２５，２７を駆動するモータ２６，２８の回転を開始させ（ステップＳ１０１）。併せて、光源ランプ１９の点灯を開始する（ステップＳ１０２）。
【００４３】
その後、温度センサ３１が検出する光源ランプ１９の温度「Ｔlamp」が投影に適した下限の温度を示す第１の閾値「Ｔthr1」以上となったか否かを判断し（ステップＳ１０３）、なっていなければこの判断を繰返し実行することで、光源ランプ１９が投影に適した温度まで上昇するのを待機する。
【００４４】
しかして、上記ステップＳ１０３で光源ランプ１９の温度「Ｔlamp」が第１の閾値「Ｔthr1」以上となったと判断すると、以後通常の投影動作を実行するべく、入出力コネクタ部１１から入力される画像信号の光像をマイクロミラー素子１６で表示し、その投影光を投影レンズユニット２３より出射する投影処理を行なう（ステップＳ１０４）。
【００４５】
この投影処理を実行しながら、併せて電源コントローラ３８を介してＡＣ入力部４０からの電源供給が何らかの理由で停止したか否か（ステップＳ１０５）、操作部３５の電源キー操作により電源オフが指示されたか否か（ステップＳ１０６）を繰返し判断することで、これらの状態となるのを待機する。
【００４６】
図３は、上記通常の投影動作時に、上記マイクロミラー素子１６を構成する多数の微小ミラーＭＭ中の１つを例にとって、そのオン／オフ動作を説明するものである。ここでは図示しないが、微小ミラーＭＭの下面側には、基板Ｂ上で載置された微小ミラーＭＭを駆動するマイクロアクチュエータとなる部材が個々の微小ミラーＭＭ毎に配設されている。
【００４７】
図３（Ａ）は、当該画素がオンとなり、ミラー２２からの光を上記投影レンズユニット２３方向に反射している状態を示す。この時の微小ミラーＭＭの傾斜角度を、図中に示す如くアレイ配列平面Ｆに対して「＋θ」であるものとする。
【００４８】
これに対して図３（Ｂ）は、当該画素がオフとなり、ミラー２２からの光を上記投影レンズユニット２３から外れた位置、具体的には図示しない光吸収パッドが配設される方向に反射している状態を示す。この時の微小ミラーＭＭの傾斜角度を、図中に示す如くアレイ配列平面Ｆに対して「−θ」であるものとする。
【００４９】
図４（Ａ）は、マイクロミラー素子１６を構成する複数の微小ミラーＭＭの一部を示す。通常の投影動作時には、図示する如く各画素毎に微小ミラーＭＭが個々に上記オン状態またはオフ状態に設定される。
【００５０】
しかして、上記ステップＳ１０６で通常の投影動作時に電源キーの操作により電源オフの指示がなされたと判断すると、所定の電源オフ処理を実行した後に（ステップＳ１０７）、このデータプロジェクタ装置１０を構成するすべての回路、素子への通電を停止し（ステップＳ１０８）、以上でこの図２の処理を終了する。
【００５１】
上記所定の電源オフ処理としては、例えば光源ランプ１９の消灯、温度センサ３１で検出する光源ランプ１９の温度が上記第１の閾値「Ｔthr1」未満となるまでの冷却ファン２５，２７による送風、投影レンズユニット２３の短縮等を含む。
【００５２】
また、ステップＳ１０５でＡＣ入力部４０からの電源供給が何らかの理由で停止したと判断した場合は、即時、ＣＰＵ３２を含む制御系のみ、上記予備バッテリ４１からの電力供給に切換える（ステップＳ１０９）。
【００５３】
この時点で、投影光処理部３０による光源ランプ１９の点灯、カラーホイール２０の回転、冷却ファン２５，２７の回転等はすべて停止され、併せてマイクロミラー素子１６での画像の表示動作も停止される。
【００５４】
この状態でＣＰＵ３２は、投影画像処理部１４を介して温度センサ１７によりマイクロミラー素子１６の温度を検出し、検出したマイクロミラー素子１６の温度「Ｔmmd」が第２の閾値「Ｔthr2」以上であるか否かを判断する（ステップＳ１１０）。
【００５５】
ここで上記第２の閾値「Ｔthr2」は、マイクロミラー素子１６を構成する個々の微小ミラーＭＭが熱ストレスによる影響で何らかの劣化を生じる可能性がある下限の温度値が予め設定されているものとする。
【００５６】
しかるに、上記ステップＳ１１０でマイクロミラー素子１６の温度「Ｔmmd」が第２の閾値「Ｔthr2」以上であると判断した場合にのみ、予備バッテリ４１からの供給電力によりマイクロミラー素子１６を構成する個々の微小ミラーＭＭすべてを一括して、アレイ配列方向に沿って平坦となる傾斜角度に駆動制御するパーキング処理を実行する（ステップＳ１１１）。
【００５７】
図４（Ｂ）は、このパーキング処理により全微小ミラーＭＭが平坦化されたマイクロミラー素子１６の一部の状態を例示する。このように全微小ミラーＭＭを同一面状に平坦化し、且つ隣接する微小ミラーＭＭとの間隙を最小限に保つ。
【００５８】
したがって、冷却ファン２５，２７の回転が停止し、冷却風が途絶えた熱ストレス環境下にあっても、微小ミラーＭＭ上で熱を受け流すことで、微小ミラーＭＭとマイクロミラー素子基板Ｂとの間に熱がこもることなく、マイクロミラー素子１６の熱ストレスによる劣化、破損を抑制することができる。
【００５９】
上記ステップＳ１１１での処理の有無に拘わらず、その後はこのデータプロジェクタ装置１０を構成するすべての回路、素子への通電を停止し（ステップＳ１０８）、以上でこの図２の処理を終了する。
【００６０】
このように本実施形態によれば、瞬時停電等で冷却を行なうファンなどの機構が停止した場合でも、マイクロミラー素子１６に生じる熱ストレスによる悪影響を抑制し、素子の劣化に伴う投影画質の低下を回避することが可能となる。
【００６１】
加えて上記実施形態では、マイクロミラー素子１６の温度を検出する温度センサ１７を設け、マイクロミラー素子１６の温度から熱ストレスによる影響を受ける可能性がある場合にのみマイクロミラー素子１６の全微小ミラーＭＭを平坦化するものとした。
【００６２】
これにより、実際にマイクロミラー素子１６を制御するのに使用する電力は非常に微小なものではあるが、必要時のみマイクロミラー素子１６に対する制御を行なうことで予備バッテリ４１の限られた電力を有効に活用し、予備バッテリ４１に残った電力を例えば光源ランプ１９の冷却等に使用することが可能となる。
【００６３】
そのため、上記実施形態では説明しなかったが、マイクロミラー素子１６の全微小ミラーＭＭの平坦化処理を行なった後、予備バッテリ４１に残った電力を用いてモータ２６，２８を駆動し、冷却ファン２５，２７による送風で光源ランプ１９とマイクロミラー素子１６の双方を冷却させるものとしてもよい。
【００６４】
こうすることで、データプロジェクタ装置１０の主要構造物であり、投影画質に大きな影響を及ぼす光源ランプ１９とマイクロミラー素子１６の劣化や破損をより減少させることが可能となる。
【００６５】
なお、上記実施形態では、１枚のマイクロミラー素子１６を用いたＤＬＰ（登録商標）方式のデータプロジェクタ装置に適用した場合について説明したが、３枚のマイクロミラー素子を用いて３原色の光像を形成し、形成した各色の光像をプリズムで合成した後に出射するような３チップ式の同装置に適用することも同様に可能である。
【００６６】
また、上記実施形態では、予備バッテリ４１は電源コントローラ３８により充電されるコンデンサや２次電池に限らず、例えば乾電池などの一次電池でもかまわない。また、パーキング処理の状態は、マイクロミラー素子１６によっては図４（Ｂ）のように微小ミラーＭＭすべてを一括して、アレイ配列方向に沿って平坦となる傾斜角度にすることに限らず、図３（Ａ）の当該画素がオンとなっている状態、図３（Ｂ）の当該画素がオフとなっている状態、またはそれ以外の所定の傾斜角度になっている状態、の方が熱に対して劣化や破損を減少させ得る構造のマイクロミラー素子であれば、その状態でパーキング処理を行なえばよい。
【００６７】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００６８】
【図１】本発明の一実施形態に係るデータプロジェクタ装置の回路構成を示すブロック図。
【図２】同実施形態に係る電源投入後の処理内容を示すフローチャート。
【図３】同実施形態に係るマイクロミラー素子を構成する個々の微小ミラーのオン／オフ駆動状態を例示する図。
【図４】同実施形態に係るマイクロミラー素子を構成する微小ミラーの平坦化処理を示す図。
【符号の説明】
【００６９】
１０…データプロジェクタ装置、１１…入出力コネクタ部、１２…入出力インタフェース（Ｉ／Ｆ）、１３…画像変換部、１４…投影画像処理部、１５…ビデオＲＡＭ、１６…マイクロミラー素子（ＳＯＭ）、１７…温度センサ、１８…リフレクタ、１９…光源ランプ、２０…カラーホイール、２１…インテグレータ、２２…ミラー、２３…投影レンズユニット、２４…ステッピングモータ（Ｍ）、２５…冷却ファン、２６…モータ（Ｍ）、２７…冷却ファン、２８，２９…モータ（Ｍ）、３０…投影光処理部、３１…温度センサ、３２…ＣＰＵ、３３…メインメモリ、３４…プログラムメモリ、３５…操作部、３６…インジケータ部、３７…音声処理部、３８…電源コントローラ、３９…スピーカ部、４０…ＡＣ入力部、４１…予備バッテリ、Ｂ…ミラー素子基板、ＭＭ…微小ミラー、ＳＢ…システムバス。
【図１】
0005098658.tif 000002
【図２】
0005098658.tif 000003
【図３】
0005098658.tif 000004
【図４】
0005098658.tif 000005